(57)【要約】      （修正有）【課題】広くは、物体の火災を封じ込め、鎮圧し、及び消火するための消火装置に関し、特に、熱暴走を示すリチウム電池によってもたらされた物体の火災を消火する装置と方法を提供する。【解決手段】ベース１０２と蓋１０４を含む消火装置１００が説明される。ベース１０２は、開口部と内部領域を画定する壁とを有する。ベース１０２は、一部分が内部領域内で壁の内周に配置されたスリーブも含み、スリーブが、物体を配置するための内部領域の区域を画定する。スリーブは、区域の中へ物体を配置するための開口部も含む。ベースは、スリーブと壁との間の内部領域内に配置された第１の消火粉体を更に有する。蓋１０４は、ベース１０２の開口部を覆い、空洞１２２、空洞１２２の内側に含まれた第２の消火粉体１２６、及び蓋１０４の空洞１２２を覆うために配置されたディバイダ１０６を有する。物体の火災を鎮圧するための方法も説明される。【選択図】図８
2018011940.tif 000002
【特許請求の範囲】
【請求項１】
開口部（１０８）を有するベース（１０２）であって、
内部領域（１１２）を画定する壁（１１０ａ‐ｄ）と、
一部分が前記内部領域（１１２）内で前記壁（１１０ａ‐ｄ）の内周に配置されたスリーブ（１１４）であって、物体を配置するための前記内部領域（１１２）の区域（１１６）を画定し、前記区域（１１６）の中へ前記物体を配置するための開口部（１１８）を有する、スリーブ（１１４）と、
前記スリーブ（１１４）と前記壁（１１０ａ‐ｄ）との間の前記内部領域（１１２）内に配置された、第１の消火粉体（１２０）とを備えた、ベース（１０２）、並びに
前記ベース（１０２）の前記開口部（１０８）を覆うための蓋（１０４）を備え、前記蓋（１０４）が、
空洞（１２２）、
前記空洞（１２２）の内側に含まれた第２の消火粉体（１２６）、及び
前記蓋（１０４）の前記空洞（１２２）を覆うために配置されたディバイダ（１０６）を備える、消火装置（１００）。
【請求項２】
前記スリーブ（１１４）が、前記ベース（１０２）から除去可能であり、前記第１の消火粉体（１２０）が、前記物体を配置するための前記内部領域（１１２）の前記区域（１１６）の一部分の上に崩れ落ちることをもたらす、請求項１に記載の消火装置（１００）。
【請求項３】
前記スリーブ（１１４）に取り付けられた１以上のスリーブタブ（１３０、１３２）を更に備え、前記スリーブ（１１４）が前記１以上のスリーブタブ（１３０、１３２）を介して前記ベース（１０２）から除去可能であり、前記第１の消火粉体（１２０）が、前記物体を配置するための前記内部領域（１１２）の前記区域（１１６）の一部分の上に崩れ落ちることをもたらす、請求項１又は２に記載の消火装置（１００）。
【請求項４】
前記スリーブ（１１４）が、可燃性物質を含み、前記スリーブ（１１４）が燃えることに基づいて、前記第１の消火粉体（１２０）が、前記物体を配置するための前記内部領域（１１２）の前記区域（１１６）の一部分の上に崩れ落ちる、請求項１から３のいずれか一項に記載の消火装置（１００）。
【請求項５】
前記ディバイダ（１０６）が、前記蓋（１０４）から除去可能であり、前記第２の消火粉体（１２６）を、前記ベース（１０２）の前記内部領域（１１２）の中へ解放する、請求項１から４のいずれか一項に記載の消火装置（１００）。
【請求項６】
前記ディバイダ（１０６）に取り付けられた１以上のディバイダプルタブ（１２８）を更に備え、前記ディバイダ（１０６）が前記１以上のディバイダプルタブ（１２８）を介して前記蓋（１０４）から除去可能であり、前記第２の消火粉体（１２６）を、前記ベース（１０２）の前記内部領域（１１２）の中へ解放する、請求項１から５のいずれか一項に記載の消火装置（１００）。
【請求項７】
前記蓋（１０４）の中に含まれている前記第２の消火粉体（１２６）の量と組み合わされた前記ベース（１０２）の中に含まれている前記第１の消火粉体（１２０）の量が、前記ベース（１０２）の前記内部領域（１１２）を実質的に満たす、請求項１から６のいずれか一項に記載の消火装置（１００）。
【請求項８】
前記蓋（１０４）が、前記ベース（１０２）の前記開口部（１０８）を覆い、前記ベース（１０２）の前記内部領域（１１２）を囲う、請求項１から７のいずれか一項に記載の消火装置（１００）。
【請求項９】
前記ベース（１０２）の床（１１１）に配置された前記第１の消火粉体（１３８）の層を更に備える、請求項１から８のいずれか一項に記載の消火装置（１００）。
【請求項１０】
前記スリーブが、前記ベース（１０２）の前記床（１１１）に配置された前記第１の消火粉体（１３８）の層まで延在する、請求項９に記載の消火装置（１００）。
【請求項１１】
更なる熱隔離を提供するための、前記ベース（１０２）の床（１１１）に配置された熱隔離インサート（１３６）を更に備える、請求項１から１０のいずれか一項に記載の消火装置（１００）。
【請求項１２】
物体の火災を鎮圧するための方法（２００）であって、
スリーブ（２０２）によって画定されたベースの内部領域の区域の中へ前記物体を配置することであって、前記ベースが、開口部と前記内部領域を画定する壁とを有し、前記ベースが、一部分が前記内部領域内で前記壁の内周に配置された前記スリーブを含み、前記スリーブが、前記物体を配置するための前記内部領域の前記区域を画定し、前記ベースが、前記スリーブと前記壁との間の前記内部領域内に配置された第１の消火粉体を更に備える、配置すること、
前記スリーブを前記ベースから除去して、前記第１の消火粉体が、前記物体（２０４）を配置するための前記内部領域の前記区域の一部分の上に崩れ落ちることをもたらすこと、
前記ベースの前記開口部を蓋で覆うことであって、前記蓋が、空洞と前記空洞の内側に含まれた第２の消火粉体とを有し、前記蓋が、前記蓋（２０６）の前記空洞を覆うために配置されたディバイダを備える、覆うこと、及び
前記蓋から前記ディバイダを除去して、前記第２の消火粉体を、前記ベース（２０８）の前記内部領域の中へ解放することを含む、方法（２００）。
【請求項１３】
前記蓋の中に含まれている前記第２の消火粉体の量と組み合わされた前記ベースの中に含まれている前記第１の消火粉体の量が、前記ベースの前記内部領域を実質的に満たし、前記蓋から前記ディバイダを除去して前記第２の消火粉体を前記ベースの前記内部領域の中へ解放することが、前記第２の消火粉体（２１０）で前記物体を実質的に覆うことを含む、請求項１２に記載の方法（２００）。
【請求項１４】
物体の火災を鎮圧するための方法（２５０）であって、
開口部と内部領域を画定する壁とを有するベースの前記内部領域内に第１の消火粉体を配置することであって、前記ベースが、前記内部領域内で前記壁の内周に配置されたスリーブを含み、前記スリーブが、物体（２５２）を配置するための前記内部領域の区域を画定する、配置すること、
前記スリーブ（２５４）を除去することによって、前記第１の消火粉体を、前記物体を配置するための前記内部領域の前記区域の一部分の上に崩し落とすこと、
前記ベースの前記開口部を蓋であって、空洞と前記空洞（２５６）の内側に含まれた第２の消火粉体とを有する、蓋で覆うこと、及び
前記第２の消火粉体を、前記ベース（２５８）の前記内部領域の中へ解放することを含む、方法（２５０）。
【請求項１５】
前記蓋が、前記蓋の前記空洞を覆うために配置されたディバイダを備え、前記第２の消火粉体を前記ベースの前記内部領域の中へ解放することが、
前記蓋から前記ディバイダを除去して、前記第２の消火粉体を前記ベース（２６０）の前記内部領域の中へ解放することを含む、請求項１４に記載の方法（２５０）。
【発明の詳細な説明】
【技術分野】
【０００１】
本開示は、広くは、物体の火災を封じ込め、鎮圧し、及び消火するための消火装置に関し、特に、熱暴走を示すリチウム電池によってもたらされた物体の火災を消火することに関する。
【背景技術】
【０００２】
電気火災事故、特に、リチウムイオン電池の火災に起因する物体の消火という問題を処理することを、幾つかのシステムが試みてきた。航空機産業において、飛行中に生じ得る火災は非常に危険であり得る。リチウム電池を利用する携帯電話、コンピュータ、カードスキャナなどを含む、多くの家電装置が航空機に乗せられており、そのような電池は損傷を受けると発火し得る。熱暴走を示すリチウム電池は、更なる複雑な事態を避けるために適正に処理されなければならないが、しばしば、飛行中の航空機では、適正な処理が困難であり得る。
【０００３】
消火すること、特に、電気デバイスを封じ込めるのに十分な容積、及び、火災を装置内に封じ込めて火災の広がりを妨げるためのカバーを含む、水又は通常の消火器が不十分である電気火災又は化学火災を消火することを試みるための装置が存在する。しかし、既存の装置の多くは、熱暴走反応又はその結果としての継続する火災を考慮せず、むしろ、危険な状態を孤立させることに重点を置いている。
【０００４】
飛行中の航空機の客室内で、家電リチウムイオン電池の火災などの、火災を処理するための方法が必要である。
【発明の概要】
【０００５】
一実施例では、開口部を有するベースを備えた消火装置が説明される。ベースは、内部領域を画定する壁、及び一部分が内部領域内で壁の内周に配置されたスリーブを備える。スリーブは、物体を配置するための内部領域の区域を画定し、スリーブは、物体をその区域の中へ配置するための開口部を有する。ベースは、スリーブと壁との間の内部領域内に配置された第１の消火粉体を更に備える。消火装置は、ベースの開口部を覆うための蓋も備える。蓋は、空洞、空洞の内側に含まれた第２の消火粉体、及び蓋の空洞を覆うために配置されたディバイダを備える。
【０００６】
別の一実施例では、物体の火災を鎮圧するための方法が説明される。該方法は、スリーブによって画定されたベースの内部領域の区域の中へ物体を配置することを含む。ベースは、開口部、及び内部領域を画定する壁を有し、ベースは、一部分が内部領域内で壁の内周に配置されたスリーブを含み、スリーブが、物体を配置するための内部領域の区域を画定する。ベースは、スリーブと壁との間の内部領域内に配置された第１の消火粉体を更に備える。該方法は、ベースからスリーブを除去して、第１の消火粉体が物体を配置するための内部領域の区域の一部分の上に崩れ落ちることをもたらすこと、及びベースの開口部を蓋で覆うことも含む。蓋は、空洞、空洞の内側に含まれた第２の消火粉体を有し、及び、蓋は、蓋の空洞を覆うために配置されたディバイダを備える。該方法は、蓋からディバイダを除去して、第２の消火粉体をベースの内部領域の中へ解放することも含む。
【０００７】
別の一実施例では、物体の火災を鎮圧するための別の方法が説明される、該方法は、開口部と内部領域を画定する壁とを有するベースの内部領域内に第１の消火粉体を配置することを含み、ベースは、内部領域内で壁の内周に配置されたスリーブを含み、スリーブは、物体を配置するための内部領域の区域を画定する。該方法は、スリーブを除去することによって、第１の消火粉体を、物体を配置するための内部領域の区域の一部分の上に崩し落とすこと、及びベースの開口部を蓋で覆うことも含む。蓋は、空洞、及び空洞の内側に含まれた第２の消火粉体を有する。該方法は、第２の消火粉体をベースの内部領域の中へ解放することも含む。
【０００８】
上述の特徴、機能、及び利点は、様々な実施例において独立に実現することが可能であり、また別の実施例において組み合わせることも可能である。これらの実施例について、以下の説明及び添付図面を参照して更に詳細に説明する。
【０００９】
例示的な実施例の特性と考えられる新規の機能は、添付の特許請求の範囲に明記される。しかし、例示的な実施例並びに好ましい使用モード、更なる目的、及びそれらの特徴は、添付図面を参照して、本開示の実施例についての以下の詳細な説明を読むことにより、最もよく理解されるだろう。
【図面の簡単な説明】
【００１０】
【図１】例示的な消火装置を示す。
【図２】装置のベースの一実施例を示す。
【図３】装置の蓋及びディバイダの一実施例を示す。
【図４】空洞の内側に含まれた第２の消火粉体を含む蓋の一実施例を示す。
【図５】物体の火災を鎮圧し、封じ込め、及び／又は消火するためのベースの例示的な使用を示す。
【図６】スリーブが除去された状態のベースを示す。
【図７】蓋がベースに取り付けられた状態の装置の一実施例を示す。
【図８】蓋がベースに取り付けられディバイダが除去された状態の装置の一実施例を示す。
【図９】通気能力を含む蓋がベースに取り付けられた状態の装置の一実施例を示す。
【図１０】空洞に隣接する空気濾過器を含む蓋がベースに取り付けられた状態の装置の一実施例を示す。
【図１１】煙を排出することができるホースに連結されるための通気口を含む蓋がベースに取り付けられた状態の装置の一実施例を示す。
【図１２】物体の火災を鎮圧するための例示的な方法のフローチャートを示す。
【図１３】図１２で示された方法と共に使用される例示的な方法のフローチャートを示す。
【図１４】物体の火災を鎮圧するための別の例示的な方法のフローチャートを示す。
【図１５】図１４で示された方法と共に使用される例示的な方法のフローチャートを示す。
【発明を実施するための形態】
【００１１】
以降、添付図面を参照して本開示の実施例について更に詳細に説明するが、添付図面には開示される全ての実施例が示されているわけではない。実際には、幾つかの異なる実施例が説明される場合があり、これらの実施例は、本明細書で明示されている実施例に限定されると解釈するべきではない。むしろ、これらの実施形態は、この開示内容が包括的で完全であるように、且つ、本開示の範囲が当業者に十分に伝わるように説明されている。
【００１２】
実施例では、火災を鎮圧し、封じ込め、及び消火する装置が説明される。該装置は、乗客を運ぶ航空機の客室内でリチウム電池の火災を処理し、搭乗客の安全性を改良するための、航空機乗客電池火災消火システムにとって有用であり得る。例えば、消火粉体を含むベースが使用され、飛行中にリチウムイオン電池を含む燃えている家電装置を圧倒する。更に、有毒ガスが客室に入ることを妨げる助けとなる、排気ガスを洗浄する方法が説明される。既存の航空機排出通気システムに通気するための更なる通気方法が説明される。
【００１３】
次に、図１を参照すると、例示的な消火装置１００が示されている。装置１００は、ベース１０２、蓋１０４、及びディバイダ１０６を含む。蓋１０４は、ベース１０２の開口部１０８を覆う。装置１００は、携帯型の容器である。ある実施例では、図１で示されるように、装置１００が、装置１００を運ぶためのベース１０２の両側のハンドル１０５ａ‐ｂを含み得る。
【００１４】
図２は、ベース１０２の一実施例を示している。ベース１０２は、開口部１０８と、内部領域１１２を画定する壁１１０ａ‐ｄ及び床１１１と、スリーブ１１４の一部分が内部領域１１２内で壁１１０ａ‐ｄの内周に配置された状態のスリーブ１１４とを有する。内部領域１１２は、ベース１０２の空間を含み得る。図２は、スリーブ１１４の全体が内部領域１１２内に配置されるように示しているが、他の実施例では、スリーブ１１４がベース１０２から出るように延在し得る。ベース１０２の床１１１は、スリーブ１１４をベース１０２の中へ挿入するために、（図示せぬ）スロット又は溝を含み得る。
【００１５】
スリーブ１１４は、（例えば、図５で示される）物体を配置するための内部領域１１２の区域１１６を画定し、スリーブ１１４は、物体をその区域１１６の中へ配置するための開口部１１８を有する。スリーブ１１４は、使用される材料に応じて、堅く又は柔軟であり得る。スリーブ１１４の実施例は、アルミニウム又は鉄骨フレームを含む。
【００１６】
ベース１０２は、スリーブ１１４と壁１１０ａ‐ｄとの間の内部領域１１２内に配置された第１の消火粉体１２０も含む。
【００１７】
図３は、（図８で示される）空洞１２２を含む蓋１０４の一例、及び蓋１０４の空洞１２２を覆うために配置されたディバイダ１０６を示している。
【００１８】
図４は、空洞１２２の内側に含まれた第２の消火粉体１２６を含む蓋１０４の一例を示している。図４で示されているように、ディバイダ１０６は、第２の消火粉体１２６を解放するために、蓋１０４から除去可能である。ディバイダ１０６は、ディバイダ１０６に取り付けられたタブ１２８などの１以上のディバイダプルタブを含み、ディバイダ１０６は、第２の消火粉体１２６を解放するために、タブ１２８を介して蓋１０４から除去可能である。タブ１２８は、ディバイダ１０６の一側部に取り付けられているように示されており、タブ１２８は、ディバイダ１０６の何れかの側に取り付けられ得る。
【００１９】
ベース１０２、蓋１０４、スリーブ１１４、又はディバイダ１０６の何れも、アルミニウム若しくはスチール又はアルミニウムとスチール材料の組み合わせであり得る。他の実施例では、ベース１０２、蓋１０４、スリーブ１１４、又はディバイダ１０６の何れも、高温を処理するためのスチールラインニングを含み得る。また更なる実施例では、第１の消火粉体１２０が、十分な熱的孤立を提供し、ベース１０２に対するライナーとして働き得る。それによって、ベース１０２の任意の更なる熱ライナー又は熱バリアが不必要となる。
【００２０】
第１の消火粉体１２０と第２の消火粉体１２６は、火災を鎮圧するために有用な任意の種類の粉体又は物質であり得る。粉体の種類は、鎮圧する火災の種類に対する装置１００の用途に応じる。例えば、リチウムイオン電池の火災を鎮圧するために、第１の消火粉体１２０と第２の消火粉体１２６の一方又は両方が、砂、粉体のグラファイト、又は銅粉のうちの１以上を含み得る。使用され得る粉体の更なる例は、タルカムパウダー、重曹、ＡＢＣドライケミカル、ソーダ（炭酸ソーダ）、ＬＩＴＨ‐Ｘ（粉体のグラファイト）、乾燥した地面のドロマイトを含み、又はソーダ灰も使用され得る。粉体は、火災を圧倒し火災の広がりを妨げる耐火性の粉体であり、第１の消火粉体１２０と第２の消火粉体１２６は、本明細書で説明される粉体の任意の組み合わせでもあり得る。
【００２１】
図５〜図７は、物体の火災を鎮圧し、封じ込め、及び／又は消火するためのベース１０２の例示的な使用を示している。図５では、スリーブ１１４が、スリーブ１１４の両側に取り付けられたスリーブタブ１３０と１３２を含むように示されている。スリーブタブ１３０と１３２は、各々がスリーブ１１４の何れかの側に取り付けられた２つのスリーブタブを含む。物体１３４は、内部領域１１２の区域１１６の中へ配置される。物体１３４は、家電装置、例えば、デジタルカメラとして示されている。しかし、任意の物体又は任意の種類の物体が、物体のサイズと区域１１６のサイズに基づいて、区域１１６の中へ配置され得る。装置１００は、携帯可能であり、一実施例として、約１８〜２０インチの幅、１２インチの長さ、１２インチの高さの寸法を含み得る。無論、装置１００は、装置１００の中へ配置されることが望ましい物体の用途又は種類に応じて、より小さく又はより大きくなり得る。装置１００は、拡大縮小が可能である。それによって、多くの異なるサイズが可能であり、航空機には、カメラ、携帯電話などのための小さいサイズの装置１００、コンピュータ、ビデオカメラなどのための大きなサイズの装置１００などの、異なる物体のための複数の装置１００が提供され得る。
【００２２】
図５は、ベース１０２が、更なる熱隔離を提供するための、ベース１０２の床１１１に配置された熱隔離インサート１３６も含み得ることも示している。一実施例として、インサート１３６は、高温を処理するためのステンレススチール材料を含み得る。他の実施例では、インサート１３６が含まれず、ベース１０２の床１１１それ自体が、高温を処理するためのステンレススチールを含み得る。一方、ベース１０２の残りの部分は、アルミニウムであり得る。第１の消火粉体１３８の層が、ベース１０２の床１１１に配置され、もし含まれるならば、インサート１３６の上に配置される。その後、スリーブ１１４が、ベース１０２の床１１１に配置された第１の消火粉体１２０の層まで延在する。
【００２３】
図６は、スリーブ１１４が除去された状態のベース１０２を示している。スリーブ１１４は、ベース１０２から除去可能であり、第１の消火粉体１２０が、物体１３４を配置するための内部領域１１２の区域１１６の一部分の上に崩れ落ちることをもたらし又は可能にする。スリーブ１１４は、スリーブタブ１３０と１３２を介してベース１０２から除去可能であり、第１の消火粉体１２０が、物体１３４を配置するための内部領域１１２の区域１１６の一部分の上に崩れ落ちることをもたらす。スリーブ１１４は、約１〜２インチ（装置１００の幅に基づいて変動し得る）だけ壁１１０ａ‐ｄから間隔を空けられて、内部領域１１２内に配置され得る。スリーブ１１４と壁１１０ａ‐ｄとの間の間隔は、第１の消火粉体１２０で満たされる。スリーブ１１４と壁１１０ａ‐ｄとの間の間隔は、第１の消火粉体１２０で完全に満たされるか又は可能性としては部分的にのみ第１の消火粉体１２０で満たされ得る。何れにせよ、スリーブ１１４の除去は、第１の消火粉体１２０が、区域１１６内に配置された任意の物体の上に落ちることを可能にする。
【００２４】
図６が、スリーブ１１４がベース１０２から除去可能であることを示している一方で、他の実施例では、スリーブ１１４が、可燃性物質を含み、燃えている物体を区域１１６の中へ配置することによってスリーブ１１４が燃えることに基づいて、一旦、スリーブ１１４が燃え尽きると、第１の消火粉体１２０が内部領域１１２の区域１１６の一部分の上に崩れ落ちる。一実施例として、スリーブ１１４は、火が付いたときに又は増加した温度によって溶けるワックス材料を含み得る。
【００２５】
図７は、蓋１０４がベース１０２に取り付けられた状態の装置の一実施例を示している。一旦、燃えている物体１３４がベース１０２の区域１１６の中へ配置され、スリーブ１１４が除去されると、第１の消火粉体１２０が内部領域１１２の区域１１６の一部分の上に崩れ落ち、燃えている物体１３４の少なくとも一部分を覆う。これは、火を消し、又は物体１３４の火災の一部分を消し得る。その後、ベース１０２の開口部１０８を覆うように蓋１０４を配置することによって、ベース１０２の内部領域１１２が、今度は、装置１００内に火災を封じ込めるために囲われる。
【００２６】
蓋１０４は、ベース１０２上にパチンと留められ、又はベース１０２上でスライドされ、及び、完全に除去され得る。他の実施例では、蓋１０４が、ヒンジ１４０を介してベース１０２に取り付けられている。複数の実施例では、蓋１０４が、ベース１０２に重なり得る。それによって、ディバイダ１０６の除去の後に、ベース１０２の開口部１０８が、蓋１０４によって囲われ、装置１００が完全に囲われる。このやり方では、有毒ガスが、装置１００の内側に残る。
【００２７】
図８は、蓋１０４がベース１０２に取り付けられディバイダ１０６が除去された状態の装置の一実施例を示している。ディバイダ１０６は、蓋１０４から除去可能であり、第２の消火粉体１２６をベース１０２の内部領域１１２の中へ解放する。蓋１０４の空洞１２２は、第２の消火粉体１２６で満たされ得る。ディバイダ１０６の除去の後に、第２の消火粉体１２６が、ベース１０２の内部領域１１２の中へ落下し、物体１３４を覆って、火災を更に鎮圧及び消火する。ディバイダ１０６は、装置１００からディバイダ１０６をスライドさせて抜くことによって手動で除去され得る。
【００２８】
飛行中の航空機に搭載されている装置１００の使用の一例として、乗務員が、装置１００を燃えている物体１３４のポイントへ運び得る。乗務員は、燃えている物体１３４を安全に処理するためのツール（図示されておらず、物体１３４をグリップするためのトング、又は安全機構を有するペンチ／万力若しくはユーザを保護するためのシールドを含み得る）を使用し得る。蓋１０４は、除去され得る。燃えている物体１３４が、スリーブ１１４の内側の区域１１６の中へ配置され得る。続いて、スリーブ１１４が、除去され、第１の消火粉体１２０が区域１１６の中へ落ち、燃えている物体１３４を埋める又は部分的に埋めることをもたらす。この段階において、物体１３４は、第１の消火粉体１２０によって完全に覆われ得る。そして、物体１３４が完全に消火剤に覆われることを確実にするために、その後、蓋１０４がベース１０２の上に配置され、ディバイダ１０６が除去され、蓋１０４の中の第２の消火粉体１２６が落下し燃えている物体１３４を埋めることをもたらす。これは、物体１３４を完全に消火剤粉体の中に埋め、火災と周囲環境との間の断熱を提供する。結果として、装置１００は、火災を封じ込め、火災を鎮圧し、及び消火する。
【００２９】
蓋１０４とベース１０２の両方が、消火剤粉体を含んでいる。蓋１０４の中に含まれている第２の消火粉体１２６の量と組み合わされたベース１０２の中に含まれている第１の消火粉体１２０の量が、ベース１０２の内部領域１１２を実質的に満たす。粉体の特定の量は、装置１００のサイズと寸法に応じる。しかし、蓋１０４とベース１０２の中に含まれた粉体の量は、併せて、ベース１０２の内部領域１１２をほぼ満たすのに十分であり得る。「実質的に」という語は、言及される特徴、パラメータ、又は値が正確に実現される必要はないが、例えば、許容範囲、測定誤差、測定精度限界、及び当業者にとって既知の要因などを含む偏差又は変動が、特徴によってもたらされる影響を排除できない大きさで起こり得ることを意味する。
【００３０】
ある実施例では、蓋１０４が、ベース１０２の中よりも多くの量の粉体を含み得るか、又は蓋１０４の中の粉体の量が、ベース１０２と比較して、蓋１０４とベース１０２のサイズに応じて、１：１又は１：２又は２：１の比率であり得る。
【００３１】
図９は、通気能力を含む蓋１０４がベース１０２に取り付けられた状態の装置１００の一実施例を示している。例えば、蓋１０４は、装置１００を通気するために開閉し得る排熱孔１５０を含むように示されている。このやり方では、ガス又は煙が、排熱孔１５０を通って装置１００から排気され得る。
【００３２】
図１０は、空洞１２２に隣接する空気濾過器１５２を含む蓋１０４がベース１０２に取り付けられた状態の装置１００の一実施例を示している。空気濾過器１５２は、排熱孔１５０を含み、化学物質を除去するために空気を洗浄するための活性炭及び触媒を含む区域１５４も含み得る。空気濾過器１５２は、有毒ガスが航空機の客室に入ることを低減させ得る。活性炭は、活性炭に引き込まれた特定の化学物質を吸着するように酸素で処理された炭素である。触媒は、空気濾過器１５２が、非炭素系の化学物質をも引き込むことを可能にするために追加され得る。したがって、空気濾過器１５２は、消火することからもたらされる任意の煙を濾過し得る。
【００３３】
図１１は、煙を排出することができるホースに連結されるための通気口１６０を含む蓋１０４がベース１０２に取り付けられた状態の装置１００の一実施例を示している。例えば、通気口１６０は、活性炭及び触媒を含む携帯型の洗浄機のホースに連結され、又は通気口１６０は、航空機のホースに連結され、航空機の外側の周囲環境へ通気し得る。
【００３４】
図１２は、物体１３４の火災を鎮圧するための例示的な方法２００のフローチャートを示している。図１２で示される方法２００は、例えば、本明細書で示され説明される装置１００と共に使用され得る、例示的な方法を提示する。本明細書で開示されるこのプロセスと方法及び他のプロセスと方法について、フローチャートは、本実施例の可能な一実装態様の機能及び工程を示していることが理解されるべきである。代替的な実装態様が、本開示の実施例の範囲内に含まれる。本開示の実施例では、当業者によって理解されるように、関連する機能に応じて、図示又は記載されている順序とは異なる順序（実質的に、並列順序又は逆順序を含む）で機能が実行されてもよい。
【００３５】
ブロック２０２では、方法２００が、スリーブ１１４によって画定されるベース１０２の内部領域１１２の区域１１６の中へ物体１３４を配置することを含む。ベース１０２は、開口部１０８、及び内部領域１１２を画定する壁１１０ａ‐ｄを有し、ベース１０２は、一部分が内部領域内で壁の内周に配置されたスリーブ１１４を含み、スリーブ１１４が、物体１３４を配置するための内部領域１１２の区域１１６を画定する。ベース１０２は、スリーブ１１４と壁１１０ａ‐ｄとの間の内部領域１１２内に配置された第１の消火粉体１２０を更に含む。
【００３６】
ブロック２０４では、方法２００が、ベース１０２からスリーブ１１４を除去して、第１の消火粉体１２０が、物体１３４を配置するための内部領域１１２の区域１１６の一部分の上に崩れ落ちることをもたらすことを含む。
【００３７】
ブロック２０６では、方法２００が、ベース１０２の開口部１０８を蓋１０４で覆うことを含む。蓋１０４は、空洞１２２、及び空洞１２２の内側に含まれた第２の消火粉体１２６を有する。蓋１０４は、蓋１０４の空洞１２２を覆うように配置されたディバイダ１０６を備える。
【００３８】
ブロック２０８では、方法２００が、蓋１０４からディバイダ１０６を除去して、第２の消火粉体１２６をベース１０２の内部領域１１２の中へ解放することを含む。これは、物体１３４が、消火剤粉体で覆われ、火災を鎮圧及び消火することをもたらす。
【００３９】
図１３は、一実施例による、方法２００と共に使用される例示的な方法のフローチャートを示している。ブロック２１０では、機能が、蓋１０４からディバイダ１０６を除去して、第２の消火粉体１２６をベース１０２の内部領域１１２の中へ解放し、物体１３４を第２の消火粉体１２６で実質的に覆うことを含む。この実施例では、蓋１０４の中に含まれている第２の消火粉体１２６の量と組み合わされたベース１０２の中に含まれている第１の消火粉体１２０の量が、ベース１０２の内部領域１１２を実質的に満たす。
【００４０】
図１４は、一実施例による、物体１３４の火災を鎮圧するための別の例示的な方法２５０のフローチャートを示している。図１２で示される方法２５０は、例えば、本明細書で示され説明される装置１００と共に使用され得る、例示的な方法を提示する。
【００４１】
ブロック２５２では、方法２５０が、開口部１０８と内部領域１１２を画定する壁１１０ａ‐ｄとを有するベース１０２の内部領域１１２の中へ第１の消火粉体１２０を配置することを含み、ベース１０２は、内部領域１１２内で壁１１０ａ‐ｄの内周に配置されたスリーブ１１４を含み、スリーブ１１４は、物体１３４を配置するための内部領域１１２の区域１１６を画定する。
【００４２】
ブロック２５４では、方法２５０が、スリーブ１１４を除去することによって、第１の消火粉体１２０を、物体１３４を配置するための内部領域１１２の区域１１６の一部分の上に崩し落とすことを含む。
【００４３】
ブロック２５６では、方法２５０が、ベース１０２の開口部１０８を蓋１０４で覆うことを含む。蓋１０４は、空洞１２２、及び空洞１２２の内側に含まれた第２の消火粉体１２６を有する。
【００４４】
ブロック２５８では、方法２５０が、第２の消火粉体１２６をベース１０２の内部領域１１２の中へ解放することを含む。
【００４５】
図１５は、一実施例による、方法２５０と共に使用される例示的な方法のフローチャートを示している。蓋１０４は、蓋１０４の空洞１２２を覆うように配置されたディバイダ１０６を含む。ブロック２６０では、機能が、蓋１０４からディバイダ１０６を除去して、第２の消火粉体１２６をベース１０２の内部領域１１２の中へ解放することを含む。
【００４６】
本明細書で説明された多くの実施例は、航空機に搭載された装置１００の使用を含むが、装置１００は、民間又は公営のバス又は列車などの多くの他の用途で使用され得る。装置１００は、任意の公営若しくは私的な交通機関又は（交通機関に関連するものだけではない）任意の状況で使用され得る、携帯型の容器である。更に、装置１００は、ベース１０２と蓋１０４の中に含まれる消火剤粉体の種類のみならず、装置１００のサイズに応じて、任意の種類の燃えている物体を受け入れるように設計され得る。
【００４７】
更に、本開示は下記の条項に係る実施例を含む。
条項１
開口部（１０８）を有するベース（１０２）であって、
内部領域（１１２）を画定する壁（１１０ａ‐ｄ）と、
一部分が前記内部領域（１１２）内で前記壁（１１０ａ‐ｄ）の内周に配置されたスリーブ（１１４）であって、物体を配置するための前記内部領域（１１２）の区域（１１６）を画定し、前記区域（１１６）の中へ前記物体を配置するための開口部（１１８）を有する、スリーブ（１１４）と、
前記スリーブ（１１４）と前記壁（１１０ａ‐ｄ）との間の前記内部領域（１１２）内に配置された、第１の消火粉体（１２０）とを備えた、ベース（１０２）、並びに
前記ベース（１０２）の前記開口部（１０８）を覆うための蓋（１０４）を備え、前記蓋（１０４）が、
空洞（１２２）、
前記空洞（１２２）の内側に含まれた第２の消火粉体（１２６）、及び
前記蓋（１０４）の前記空洞（１２２）を覆うために配置されたディバイダを備える、消火装置（１００）。
条項２
前記スリーブ（１１４）が、前記ベース（１０２）から除去可能であり、前記第１の消火粉体（１２０）が、前記物体を配置するための前記内部領域（１１２）の前記区域（１１６）の一部分の上に崩れ落ちることをもたらす、条項１に記載の消火装置（１００）。
条項３
前記スリーブ（１１４）に取り付けられた１以上のスリーブタブ（１３０、１３２）を更に備え、前記スリーブ（１１４）が前記１以上のスリーブタブ（１３０、１３２）を介して前記ベース（１０２）から除去可能であり、前記第１の消火粉体（１２０）が、前記物体を配置するための前記内部領域（１１２）の前記区域（１１６）の一部分の上に崩れ落ちることをもたらす、条項１に記載の消火装置（１００）。
条項４
前記スリーブ（１１４）が、可燃性物質を含み、前記スリーブ（１１４）が燃えることに基づいて、前記第１の消火粉体（１２０）が、前記物体を配置するための前記内部領域（１１２）の前記区域（１１６）の一部分の上に崩れ落ちる、条項１に記載の消火装置（１００）。
条項５
前記ディバイダ（１０６）が、前記蓋（１０４）から除去可能であり、前記第２の消火粉体（１２６）を、前記ベース（１０２）の前記内部領域（１１２）の中へ解放する、条項１に記載の消火装置（１００）。
条項６
前記ディバイダ（１０６）に取り付けられた１以上のディバイダプルタブ（１２８）を更に備え、前記ディバイダ（１０６）が前記１以上のディバイダプルタブ（１２８）を介して前記蓋（１０４）から除去可能であり、前記第２の消火粉体（１２６）を、前記ベース（１０２）の前記内部領域（１１２）の中へ解放する、条項１に記載の消火装置（１００）。
条項７
前記蓋（１０４）の中に含まれている前記第２の消火粉体（１２６）の量と組み合わされた前記ベース（１０２）の中に含まれている前記第１の消火粉体（１２０）の量が、前記ベース（１０２）の前記内部領域（１１２）を実質的に満たす、条項１に記載の消火装置（１００）。
条項８
前記蓋（１０４）が、ヒンジを介して前記ベース（１０２）に取り付けられている、条項１に記載の消火装置（１００）。
条項９
前記蓋（１０４）が、前記ベース（１０２）の前記開口部（１０８）を覆い、前記ベース（１０２）の前記内部領域（１１２）を囲う、条項１に記載の消火装置（１００）。
条項１０
前記装置が、携帯型の容器である、条項１に記載の消火装置（１００）。
条項１１
前記ベース（１０２）の床（１１１）に配置された前記第１の消火粉体（１３８）の層を更に備える、条項１に記載の消火装置（１００）。
条項１２
前記スリーブが、前記ベース（１０２）の前記床（１１１）に配置された前記第１の消火粉体（１３８）の層まで延在する、条項１１に記載の消火装置（１００）。
条項１３
更なる熱隔離を提供するための、前記ベース（１０２）の床（１１１）に配置された熱隔離インサート（１３６）を更に備える、条項１に記載の消火装置（１００）。
条項１４
前記第１の消火粉体（１２０）と前記第２の消火粉体（１２６）のうちの一方又は両方が、砂、粉体のグラファイト、又は銅粉のうちの１以上を含む、条項１に記載の消火装置（１００）。
条項１５
前記蓋（１０４）が、前記空洞（１２２）に隣接した空気濾過器（１５２）を更に備える、条項１に記載の消火装置（１００）。
条項１６
前記蓋（１０４）が、煙の排出を可能にするホースと連結されるための通気口（１６０）を更に備える、条項１に記載の消火装置（１００）。
条項１７
物体の火災を鎮圧するための方法（２００）であって、
スリーブ（２０２）によって画定されたベースの内部領域の区域の中へ前記物体を配置することであって、前記ベースが、開口部と前記内部領域を画定する壁とを有し、前記ベースが、一部分が前記内部領域内で前記壁の内周に配置された前記スリーブを含み、前記スリーブが、前記物体を配置するための前記内部領域の前記区域を画定し、前記ベースが、前記スリーブと前記壁との間の前記内部領域内に配置された第１の消火粉体を更に備える、配置すること、
前記スリーブを前記ベースから除去して、前記第１の消火粉体が、前記物体（２０４）を配置するための前記内部領域の前記区域の一部分の上に崩れ落ちることをもたらすこと、
前記ベースの前記開口部を蓋で覆うことであって、前記蓋が、空洞と前記空洞の内側に含まれた第２の消火粉体とを有し、前記蓋が、前記蓋（２０６）の前記空洞を覆うために配置されたディバイダを備える、覆うこと、及び
前記蓋から前記ディバイダを除去して、前記第２の消火粉体を、前記ベース（２０８）の前記内部領域の中へ解放することを含む、方法（２００）。
条項１８
前記蓋の中に含まれている前記第２の消火粉体の量と組み合わされた前記ベースの中に含まれている前記第１の消火粉体の量が、前記ベースの前記内部領域を実質的に満たし、前記蓋から前記ディバイダを除去して前記第２の消火粉体を前記ベースの前記内部領域の中へ解放することが、前記第２の消火粉体（２１０）で前記物体を実質的に覆うことを含む、条項１７に記載の方法（２００）。
条項１９
物体の火災を鎮圧するための方法（２５０）であって、
開口部と内部領域を画定する壁とを有するベースの前記内部領域内に第１の消火粉体を配置することであって、前記ベースが、前記内部領域内で前記壁の内周に配置されたスリーブを含み、前記スリーブが、物体（２５２）を配置するための前記内部領域の区域を画定する、配置すること、
前記スリーブ（２５４）を除去することによって、前記第１の消火粉体を、前記物体を配置するための前記内部領域の前記区域の一部分の上に崩し落とすこと、
前記ベースの前記開口部を蓋であって、空洞と前記空洞（２５６）の内側に含まれた第２の消火粉体とを有する、蓋で覆うこと、及び
前記第２の消火粉体を、前記ベース（２５８）の前記内部領域の中へ解放することを含む、方法（２５０）。
条項２０
前記蓋が、前記蓋の前記空洞を覆うために配置されたディバイダを備え、前記第２の消火粉体を前記ベースの前記内部領域の中へ解放することが、
前記蓋から前記ディバイダを除去して、前記第２の消火粉体を前記ベース（２６０）の前記内部領域の中へ解放することを含む、条項１９に記載の方法（２５０）。
【００４８】
種々の有利な構成の説明は、例示及び説明を目的として提示されており、完全であること、または開示された形態の実施例に限定されることを意図するものではない。当業者には、多くの修正例及び変形例が自明となろう。更に、種々の有利な実施例は、他の有利な実施例と比べて異なる利点を説明し得る。選択された１つ又は複数の実施例は、実施例の原理、実際の用途を最もよく説明するため、及び他の当業者に対し、様々な実施例の開示内容と、考慮される特定の用途に適した様々な修正例との理解を促すために選択及び記述されている。
【図１】
2018011940.tif 000003
【図２】
2018011940.tif 000004
【図３】
2018011940.tif 000005
【図４】
2018011940.tif 000006
【図５】
2018011940.tif 000007
【図６】
2018011940.tif 000008
【図７】
2018011940.tif 000009
【図８】
2018011940.tif 000010
【図９】
2018011940.tif 000011
【図１０】
2018011940.tif 000012
【図１１】
2018011940.tif 000013
【図１２】
2018011940.tif 000014
【図１３】
2018011940.tif 000015
【図１４】
2018011940.tif 000016
【図１５】
2018011940.tif 000017
【外国語明細書】
2018011940000001.pdf
2018011940000002.pdf
2018011940000003.pdf
2018011940000004.pdf